(57)【要約】主セクションとバンドとテリーループのエリアとを有する丸編みされた衣服が与えられている。バンドは、主セクションに一体的に編まれている。テリーループは、バンド内のエリア中に一体的に編まれている。
2007502375.tif 000002
【特許請求の範囲】
【請求項１】
主セクションと、
この主セクションに一体的に編まれたバンドと、
このバンド内のエリア中に一体的に編まれた複数のテリーループとを具備する、丸編みされた衣服。
【請求項２】
前記複数のテリーループは、約０．１２５ないし約０．７５のループ密度を有している請求項１の衣服。
【請求項３】
前記ループ密度は、約０．２５ないし約０．６２５である請求項２の衣服。
【請求項４】
前記ループ密度は、約０．３７５である請求項２の衣服。
【請求項５】
前記複数のテリーループは、トルー・テリーループ、フロート・テリーループ、モック・テリーループ、並びにこれらいずれかの組み合わせからなるグループから選択されたステッチ構造を有している請求項１の衣服。
【請求項６】
この衣服は、ブラジャー、パンティーストッキング、ストッキング、ブラウス、レオタード、水着、下着、並びにパンティーからなるグループから選択されている請求項１の衣服。
【請求項７】
この衣服は、ブラジャーである請求項１の衣服。
【請求項８】
前記ブラジャーは、ブレストカップとストラップとからなるグループから選択されたブラジャー構成部材を有している請求項７の衣服。
【請求項９】
前記ブラジャー構成部材は、これ中に一体的に編まれた前記複数のテリーループをさらに有している請求項８の衣服。
【請求項１０】
第１の側と反対側の第２の側とを規定するように、弾性のバンドと一体的に編まれた主セクションと、
前記弾性のバンド中に一体的に編まれ、かつ前記第１の側から延びている複数のクッションループとを具備する、丸編みされた衣服。
【請求項１１】
前記複数のクッションループは、反転、並びに/若しくは外方に広がるように前記弾性のバンドの特性を緩和させるのに十分なループ密度で編まれている請求項１０の衣服。
【請求項１２】
前記ループ密度は、約０．１２５ないし約０．７５である請求項１１の衣服。
【請求項１３】
前記ループ密度は、約０．２５ないし約０．６２５である請求項１１の衣服。
【請求項１４】
前記ループ密度は、約０．３７５である請求項１１の衣服。
【請求項１５】
前記主セクション中に一体的に編まれた複数のクッションループをさらに具備する請求項１０の衣服。
【請求項１６】
前記複数のクッションループは、トルー・テリーループ、フロート・テリーループ、モック・テリーループ、並びにこれらいずれかの組み合わせからなるグループから選択されたステッチ構造を有している請求項１０の衣服。
【請求項１７】
この衣服は、ブラジャー、パンティーストッキング、ストッキング、ブラウス、レオタード、水着、下着、並びにパンティーからなるグループから選択されている請求項１０の衣服。
【請求項１８】
第１の側と反対側の第２の側とを規定するように、弾性のバンドと一体的に編まれた主セクションと、
選択されたニットステッチパターンで前記弾性のバンド内のエリア中に一体的に編まれた複数のテリーループとを具備する、丸編みされた衣服。
【請求項１９】
前記選択されたニットステッチパターンは、第１のコースと、第２のコースと、第３のコースと、第４のコースとを有している請求項１８の衣服。
【請求項２０】
前記第１のコースは、弾性糸が、１×１のステッチ、若しくはニット−ミスのニットステッチを有した状態のニットである請求項１９の衣服。
【請求項２１】
前記第３のコースは、ジャージ・ステッチを有したニットである請求項２０の衣服。
【請求項２２】
前記第２のコースと前記第４のコースとは、トルー・テリーループステッチ、フロート・テリーループステッチ、モック・テリーループステッチ、並びにこれらいずれかの組み合わせからなるグループから選択されたステッチを有したニットである請求項１９の衣服。
【請求項２３】
前記フロート・テリーループステッチは、少なくとも１つのウェールを横切っている請求項２２の衣服。
【請求項２４】
前記フロート・テリーループステッチは、２つのウェールを横切っている請求項２２の衣服。
【請求項２５】
前記選択されたニットステッチパターンは、反転、並びに/若しくは外方に広がるように前記弾性のバンドの特性を緩和させるのに十分なループ密度を有している請求項１８の衣服。
【請求項２６】
前記ループ密度は、約０．１２５ないし約０．７５である請求項２５の衣服。
【請求項２７】
前記ループ密度は、約０．２５ないし約０．６２５である請求項２５の衣服。
【請求項２８】
前記ループ密度は、約０．３７５である請求項２５の衣服。
【請求項２９】
前記主セクション内のエリア中に一体的に編まれた前記複数のテリーループをさらに具備している請求項１８の衣服。
【請求項３０】
この衣服は、ブラジャー、パンティーストッキング、ストッキング、ブラウス、レオタード、水着、下着、並びにパンティーからなるグループから選択されている請求項１８の衣服。
【発明の詳細な説明】
【技術分野】
【０００１】
本発明は、丸編みされた衣服に関する。より詳細には、本発明は、一体的に編まれたクッションループを有するバンドを備えた、丸編みされた衣服に関する。
【背景技術】
【０００２】
丸編み処理は、衣服用のシームレスのチューブ状ブランクの製造に広く用いられている。この丸編み処理は、SANNTONIのＳＭ８号の編み機のような市販の装置によって果たされることができる。この種の衣服用のシームレスのチューブ状ブランクは、パンティーストッキング、ストッキング、ブラジャー、ブラウス、レオタード、水着、下着、パンティー、並びに他の衣料品のような種々の衣服の製造に使用されることができる。
【０００３】
このような衣服用のシームレスのチューブ状ブランクは、シーム、並びに他の衣服の不連続部が、身体的、並びに/若しくは美的に不快になり得る衣服の製造に幅広く使用されている。例えば、ブラジャーのシームは、無用の圧力点を加え、身体的な不快さの原因になり得る。さらに、ブラジャー、並びに/若しくは下着のシームは、しばしば、美的に不快になり得る衣服の外層を透けて見えてしまう可能性がある。
【０００４】
衣服用のシームレスのチューブ状ブランクは、１つ以上の領域内に位置された伸縮性のあるバンド、若しくはウェルト（以下のようなバンド）を有することができる。代表的に、このバンドは、ブランクの外縁に配置され、この結果、衣服を着用者の体に保持させるのを助ける。バンドは、また、着用者に圧力を加えるので、身体的な不快の原因になり得る。
【０００５】
従って、着用者に良い快適性を与えるバンドを有する衣服が引き続き所望とされている。
【発明の開示】
【発明が解決しようとする課題】
【０００６】
本発明の目的は、ソフト、若しくはプラッシュな内面を有するバンドを備えた、丸編みされた衣服を提供することである。
【０００７】
本発明の他の目的は、一体的に編まれたクッションループを備えたバンドを有する、丸編みされた衣服を提供することである。
【０００８】
さらなる他の目的は、所望のクッション性と美的な特性とを有するバンドを備えた衣服を提供することである。
【課題を解決するための手段】
【０００９】
本発明のこれら並びに他の目的と効果とは、主セクションと、バンドと、テリーループのエリアとを有する丸編みされた衣服によって与えられる。このバンドは、主セクションに一体的に編まれている。テリーループは、バンド内のエリア中に一体的に編まれている。
【００１０】
これら並びに他の目的と効果とは、また、第１の側と反対側の第２の側とを規定するように、弾性のバンドと一体的に編まれた主セクションを有する丸編みされた衣服によって与えられる。この弾性のバンドは、これ中に一体的に編まれ、かつ第１の側から延びている複数のクッションループを有している。同じ実施形態において、これらクッションループは、反転、並びに/若しくは外方に広がるように弾性のバンドの特性を緩和させるのに充分なループ密度で編まれている。
【００１１】
また、主セクションと弾性のバンドとを有する丸編みされた衣服が与えられる。この主セクションは、第１の側と反対側の第２の側とを規定するように、弾性のバンドと一体的に編まれている。この弾性のバンドは、選択されたニットステッチパターンで、バンド中に一体的に編まれた複数のテリーループを有している。
【００１２】
本発明の上述並びに他の特徴と効果とは、以下の詳細な説明と、図面と、添付の請求項とから当業者によって評価並びに理解されるであろう。
【発明を実施するための最良の形態】
【００１３】
図面、特に図１並びに図２において、本発明に従った衣服の図示の実施形態が、参照符号１０によって全体的に示されている。明瞭のために、この衣服１０は、ブラジャーとして図示されている。もちろん、この衣服１０は、パンティーストッキング、ストッキング、ブラウス、レオタード、水着、下着、パンティー、並びに他の衣服のような多くの他のタイプの衣服であり得るが、これらに限定されない。
【００１４】
この衣服１０は、主セクション１２とバンド１４とを有している。衣服１０は、シームレスの方法でバンド１４に一体的に編まれている主セクション１２を有するシームレスの衣服である。バンド１４は、主セクション１２の下縁に、折り返しウェルト、若しくは固定用胸バンドとして形成されていることが好ましい。しかし、また、バンド１４が、上縁のような、セクション１２の他の位置に形成されることは、本発明によって考慮されている。
【００１５】
前記主セクション１２は、ブレストカップ１６と、知られた方法でこの衣服１０中に一体的に編まれている１つ以上のストラップ１８とを有することができる。もちろん、ブレストカップ１６が、衣服１０中にモールド成形されたり、ストラップ１８が、シームによって主セクション１２に取着されたり、また、これらいずれかの組み合わせが果たされることは、本発明によって考慮されている。
【００１６】
この衣服１０は、第１の側２０と、この第１の側の反対側の第２の側２２とを有している。衣服１０は、第１の側２０が着用者の体に接し、一方、第２の側２２が外部に面するように着用される。
【００１７】
前記第１の側２０は、これ中に一体的に編まれている１つ以上のクッションエリア２４を有している。図示の実施形態において、前記バンド１４とブレストカップ１６とは、各々が、これ中に一体的に編まれているクッションエリア２４を有している。好ましくは、バンド１４は、ブレストカップ１６近くで、衣服１０の全周の約半分に沿ったエリア２４を有している。
【００１８】
前記バンド１４とカップ１６との両方にエリア２４を有している衣服１０が、一例として説明されていることは理解されるべきである。もちろん、また、衣服１０が、バンド１４のみ、カップ１６のみ、衣服１０の１つ以上の他のエリア、若しくはこれらの組み合わせに、エリア２４を有していることは、本発明によって考慮されている。
【００１９】
前記エリア２４は、前記第１の側２０から延びている多くの、即ち複数のクッションループ２６を有している。これらループ２６は、トルー・テリー(true terry)ループステッチ、フロート・テリー(float terry)ループステッチ、モック・テリー(mock terry)ループステッチ、若しくはこれらの組み合わせで形成されることができる。
【００２０】
これらループ２６は、前記第１の側２０の快適性と水分のウィック特性とを向上させるように着用者の体に接する。例えば、ループ２６は、コットン、テクスチャード・マイクロデニール・ナイロン(microdenier nylon)、若しくは実質的な水分のウィック特性を有する合成かつ連続的なマルチフィラメント・テクスチャード・ナイロンのような親水性の糸で形成され得るが、これらに限定されない。
【００２１】
この衣服１０は、図３に示されているような丸編みされたブランク３０で形成された単一の繊維層２８を有している。このブランク３０は、衣服１０を形成するように、切断ライン３２に沿って切断され得るほぼ円筒形のチューブである。
【００２２】
このブランク３０は、イタリア、ブレッシアのSANTONIによって製造されているような丸編み機モデルＳＭ８−８号、若しくはＳＭ８−ＴＯＰ号のような一般の丸編み機で編まれることができる。
【００２３】
前記バンド１４は、複数のコース３６とウェール３８とを形成しているニットステッチパターン３４を有している。前記第１の側２０から見たときのパターン３４が、図４に示されている。明瞭のために、４×４のパターンに配列された１６のステッチ４０を有するパターン３４が示されている。即ち、４つのコース３６と４つのウェール３８とを有するパターン３４が示されている。
【００２４】
従って、このパターン３４は、コース３６−１ないし３６−４と、ウェール３８−１ないし３８−４とを有している。コース３６−１は、弾性糸が、１×１の、若しくはニット−ミス(knit-miss)のニットステッチを有した状態のニットであることが好ましい。コース３６−３は、ジャージ・ニット(jersey knit)であることが好ましい。コース３６−２とコース３６−４とは、ループ２６を形成するようなニットであることが好ましい。
【００２５】
前記ループ２６は、１つのウェール３８を横切る(traverse)トルー・テリーループ４２であり得る。代わって、ループ２６は、２つ以上のウェール３８を横切るフロートループ４４であり得る。これらフロートループ４４は、４つ以下のウェール３８を横切ることが好ましい。さらに、ループ２６は、モックループ（図示されず）であり得る。
【００２６】
図示された実施形態において、前記パターン３４は、各々が２つのウェール３８を横切る４つのトルー・テリーループ４２と２つのフロートループ４４とを有している。かくして、パターン３４は、合計６つのループ２６を形成している。
【００２７】
このパターン３４は、選定されたループ密度を有するバンド１４内のエリア２４を形成している。ここで使用されているように、エリア２４のループ密度は、ステッチの数で分けられたループ２６の数として規定されている。エリア２４のループ密度が、所望のクッション性と美的な特徴とを衣服１０に与えるという重要な態様であることは明らかである。
【００２８】
前記エリア２４内のループ２６が多すぎると（即ち、ループの密度が高いと）、バンド１４内に１つ以上の美的特徴の有害性を形成し得ることは分かっている。例えば、ループ２６が多すぎると、バンド１４の特性が増して、反転、若しくは外方にロールすることは分かっている。さらに、また、ループ２６が多すぎると、また、バンド１４の特性が増して、外方へと広がる、若しくはバンド１４のところで衣服１０の内径が大きなり得ることは分かっている。逆に、エリア２４内のループ２６が不十分であると（即ち、ループの密度が低いと）、所望のクッション効果を有するバンド１４が得られないことは分かっている。
【００２９】
好ましくは、エリア２４は、望ましく向上された快適な効果をさらに与えつつ、バンド１４の前述した美的効果の有害性を緩和させるような選定されたループ密度を有している。
【００３０】
図４に示されたエリア２４の図示の実施形態は、０．３７５のループ密度を有している。この実施形態において、１６ステッチ４０のうちの６ステッチが、ループ２６中に編まれている。ここで、ループの４つがトルー・テリーループ４２であり、ループの２つがフロートループ４４である。
【００３１】
もちろん、パターン３４が、比較的高い、若しくは低いループ密度を有したエリア２４を与えることは、本発明によって考慮されている。例えば、エリア２４が、約０．１２５ないし約０．７５、より好ましくは、約０．２５ないし約０．６２５、最も好ましくは、約０．３７５のループ密度を有することは、本発明によって考慮されている。
【００３２】
前記バンド１４内のエリア２４のループ密度は、バンド全体に渡って均一であることが好ましい。代わって、バンド１４内のエリア２４のループ密度が、バンドの幅、長さ、若しくはこれらの組み合わせ全体に渡って変更されることは、本発明によって考慮されている。また、バンド１４内のエリア２４が、ブレストカップ１６のエリア２４と同じループ密度、若しくは異なるループ密度を有することは、本発明によって考慮されている。
【００３３】
１つのエリア２４を有するバンド１４が、一例として図示されていることは理解されるべきである。もちろん、バンド１４が、これに一体的に編まれた複数のエリア２４を有することは、本発明によって考慮されている。
【００３４】
従って、ここで説明されているような衣服１０には、以前は得られなかった所望のクッション性と所望の美的性との両方をバンド１４に与えている、エリア２４の選定されたループ密度が与えられている。
【００３５】
本発明に従った衣服１１０の別の図示の実施形態が、図５並びに図６に示されている。この実施形態において、同等、並びに/若しくは類似の機能を果たしている複数の構成部品が、１００の倍数単位で付されている。衣服１１０が、また、明瞭のためにブラジャーとして図示されている。
【００３６】
この衣服１１０は、第１の側１２０と、この第１の側の反対側の第２の側とを有している。衣服１１０は、第１の側１２０が着用者の体に接し、一方、第２の側１２２が外部に面するように着用される。
【００３７】
第１の側１２０は、これに一体的に編まれたクッションエリア１２４を有している。この実施形態において、エリア１２４は、バンド１１４に全周に沿って一体的に編まれている。さらに、このエリア１２４は、ブレストカップ１１６中とストラップ１１８中とに一体的に編まれている。このエリア１２４は、また、ブレストカップ１１６とストラップ１１８との間で、主セクション１１２の一部中に一体的に編まれることができる。さらに、エリア１２４は、ブレストカップ１１６とバンド１１４との間で、主セクション１１２の一部中に一体的に編まれることができる。
【００３８】
この衣服１１０は、図７に示されている、丸編みされたブランク１３０で形成された内層１４６と外層１４８とを有する２層の衣服である。
【００３９】
前記ブランク１３０は、層１４６，１４８を形成するように、折り線１５０に沿って折り畳まれることができるほぼ円筒形のチューブである。ブランク１３０は、第１の層１４６が第１の側１２０を形成し、第２の層１４８が第２の側１２２を形成するように線１５０を中心として折られる。かくして、エリア１２４は、ブランク１３０が折られたときに、エリアが第１の側１２０に面するように、第１の層１４６中に形成されている。
【００４０】
前記折り線１５０を中心として層１４６，１４８を折り畳んだ後に、これら層は、知られた方法で互いに結合されることができる。さらに、ブランク１３０は、衣服１１０を形成するように、知られた方法によって切断線１３２に沿って切断されることができる。
【００４１】
再び、前記エリア１３４は、衣服１１０のバンド１１４、並びに/若しくは主セクション１１２に、所望のクッション性と美的な特性とを与える選定されたループ密度を有している。例えば、バンド１１４内のエリア１２４が、約０．１２５ないし約０．７５、より好ましくは約０．２５ないし約０．６２５、最も好ましくは０．３７５のループ密度を有することは、本発明によって考慮されている。
【００４２】
「第１」、「第２」、「第３」、「上側」、「下側」等の用語が、この明細書において、様々な部材を変更するために使用され得ることに注意するべきである。このような変更は、特に説明されない限り、変更部材に対して空間的、連続的、若しくは階層的な指示を意味するものではない。
【００４３】
本発明は、１つ以上の図示の実施形態を参照して説明されているが、様々な変更がなされ、同等品が、本発明の範囲から逸脱することなく同等品の部材のために構成され得ることは理解されるであろう。さらに、多くの変更例が、本発明の範囲から逸脱することなく、特定の状況若しくは材料を開示の教示に適応させるために形成されることができる。従って、本発明がこれを実行するために考慮された最も良い様式として開示された特定の実施形態に限定されるものではないが、添付された請求項の範囲内にある全ての実施形態を含むであろうことが意図されている。
【図面の簡単な説明】
【００４４】
【図１】本発明に従った衣服の図示の実施形態の斜視図である。
【図２】図１の２−２線に沿って切断された断面図である。
【図３】図１の衣服の製造に使用される、本発明に従ったブランクの図示の実施形態の斜視図である。
【図４】図１の衣服のバンドのニットステッチパターンの図示の実施形態である。
【図５】本発明に従った衣服の別の図示の実施形態の斜視図である。
【図６】図５の６−６線に沿って切断された断面図である。
【図７】図５の衣服の製造に使用される、本発明に従ったブランクの図示の実施形態の斜視図である。
【図１】
2007502375.tif 000003
【図２】
2007502375.tif 000004
【図３】
2007502375.tif 000005
【図４】
2007502375.tif 000006
【図５】
2007502375.tif 000007
【図６】
2007502375.tif 000008
【図７】
2007502375.tif 000009
【手続補正書】
【提出日】平成18年4月19日(2006.4.19)
【手続補正１】
【補正対象書類名】特許請求の範囲
【補正対象項目名】全文
【補正方法】変更
【補正の内容】
【特許請求の範囲】
【請求項１】
主セクションと、
この主セクションに一体的に編まれたバントと、
このバンド内のエリア中に一体的に編まれた複数のテリーループとを具備する、丸編みされた衣服。
【請求項２】
前記複数のテリーループは、約０．１２５ないし約０．７５のループ密度を有している請求項１の衣服。
【請求項３】
前記ループ密度は、約０．２５ないし約０．６２５である請求項２の衣服。
【請求項４】
前記ループ密度は、約０．３７５である請求項２の衣服。
【請求項５】
前記複数のテリーループは、トルー・テリーループ、フロート・テリーループ、モック・テリーループ、並びにこれらいずれかの組み合わせからなるグループから選択されたステッチ構造を有している請求項１の衣服。
【請求項６】
ブラジャー、パンティーストッキング、ストッキング、ブラウス、レオタード、水着、下着、並びにパンティーからなるグループから選択されている請求項１の衣服。
【請求項７】
この衣服は、ブラジャーである請求項１の衣服。
【請求項８】
前記ブラジャーは、ブレストカップとストラップとからなるグループから選択されたブラジャー部材を有している請求項７の衣服。
【請求項９】
前記ブラジャー部材は、これ中に一体的に編まれた前記複数のテリーループをさらに有している請求項８の衣服。
【請求項１０】
第１の側と反対側の第２の側とを規定するように弾性のバンドと一体的に編まれた主セクションと、
前記弾性のバンド中に一体的に編まれ、かつ前記第１の側から延びている複数のクッションループとを具備する、丸編みされた衣服。
【請求項１１】
前記複数のクッションループは、所定のループ密度で編まれている請求項１０の衣服。
【請求項１２】
前記ループ密度は、約０．１２５ないし約０．７５である請求項１１の衣服。
【請求項１３】
前記ループ密度は、約０．２５ないし約０．６２５である請求項１１の衣服。
【請求項１４】
前記ループ密度は、約０．３７５である請求項１１の衣服。
【請求項１５】
前記主セクション中に一体的に編まれた前記複数のクッションループをさらに具備している請求項１０の衣服。
【請求項１６】
前記複数のクッションループは、トルー・テリーループ、フロート・テリーループ、モック・テリーループ、並びにこれらいずれかの組み合わせからなるグループから選択されている請求項１０の衣服。
【請求項１７】
この衣服は、ブラジャー、パンティーストッキング、ストッキング、ブラウス、レオタード、水着、下着、並びにパンティーからなるグループから選択されている請求項１０の衣服。
【請求項１８】
第１の側と反対側の第２の側とを規定するように、弾性のバンドと一体的に編まれた主セクションと、
選択されたニットステッチパターンで前記弾性のバンド内のエリア中に一体的に編まれた複数のテリーループとを具備する、丸編みされた衣服。
【請求項１９】
前記選択されたニットステッチパターンは、第１のコースと、第２のコースと、第３のコースと、第４のコースとを有している請求項１８の衣服。
【請求項２０】
前記第１のコースは、弾性糸が、１×１のステッチ、若しくはニット−ミスのニットステッチを有した状態のニットである請求項１９の衣服。
【請求項２１】
前記第３のコースは、ジャージ・ステッチを有したニットである請求項２０の衣服。
【請求項２２】
前記第２のコースと前記第４のコースとは、トルー・テリーループステッチ、フロート・テリーループステッチ、モック・テリーループステッチ、並びにこれらいずれかの組み合わせからなるグループから選択されたステッチを有したニットである請求項１９の衣服。
【請求項２３】
前記フロート・テリーループステッチは、少なくとも１つのウェールを横切っている請求項２２の衣服。
【請求項２４】
前記フロート・テリーフープステッチは、２つのウェールを横切っている請求項２２の衣服。
【請求項２５】
前記選択されたニットパターンは、所定のループ密度を有している請求項１８の衣服。
【請求項２６】
前記ループ密度は、約０．１２５ないし約０．７５である請求項２５の衣服。
【請求項２７】
前記ループ密度は、約０．２５ないし約０．６２５である請求項２５の衣服。
【請求項２８】
前記ループ密度は、約０．３７５である請求項２５の衣服。
【請求項２９】
前記主セクション内のエリア中に一体的に編まれた前記複数のテリーループをさらに具備している請求項１８の衣服。
【請求項３０】
この衣服は、ブラジャー、パンティーストッキング、ストッキング、ブラウス、レオタード、水着、下着、並びにパンティーからなるグループから選択されている請求項１８の衣服。
【国際調査報告】
2007502375.tif 000010